(57)【要約】本開示の実施例が構成方法、装置、プログラム及び記録媒体を提供し、第１端末が移動端末であり、第２端末がスマートテレビであることを例とし、移動端末側の方法は、前記ＷＩＦＩフレームをブロードキャストすることにより、スマートテレビを構成するための構成データを含むＷＩＦＩフレームを生成することと、前記スマートテレビが前記ＷＩＦＩフレームを受信した後、前記ＷＩＦＩフレームを解析して取得された前記構成データに基づいて前記スマートテレビを構成することとを含む。本開示の実施例において、携帯電話などの移動端末とスマートテレビとの間で如何なる接続を予め確立する必要が無く、携帯電話が構成データをＷＩＦＩフレームに付加した後、外部へ送信し、スマートテレビがデータモニタリングインターフェイスをオンし、受信されたＷＩＦＩフレームにおける構成データに基づいて自体の構成を完成する。このようにして、携帯電話によって得られるＷＩＦＩネットワークをスマートテレビにシェアするという機能を高効率に実現し、スマートテレビに対する煩わしい構成過程を免除して、スマートテレビの操作効率を向上した。【選択図】図１
2017508419.tif 000002
【特許請求の範囲】
【請求項１】
第１端末に用いられる構成方法において、
第２端末を構成するための構成データを含むＷＩＦＩフレームを生成することと、
前記ＷＩＦＩフレームをブロードキャストすることにより、前記第２端末が前記ＷＩＦＩフレームを受信した後、前記ＷＩＦＩフレームを解析して取得された前記構成データに基づいて前記第２端末を構成することとを含むことを特徴とする方法。
【請求項２】
前記ＷＩＦＩフレームを生成することは、
前記第２端末との通信接続を確立する前に、管理フレーム、制御フレーム或いはデータフレームを含むＷＩＦＩフレームを生成するとともに、前記ＷＩＦＩフレームにおける予め設定されたフィールドに前記構成データを設定することを含むことを特徴とする請求項１に記載の方法。
【請求項３】
前記構成データにＳＳＩＤ及び接続パスワードを含み、
前記ＷＩＦＩフレームを生成するとともに、前記ＷＩＦＩフレームにおける予め設定されたフィールドに前記構成データを設定することは、
移動端末に既に保存されているネットワークのＳＳＩＤ及び接続パスワードを取得するとともに、その中から構成しようとするネットワークのＳＳＩＤ及び接続パスワードを選択することと、
選択されたネットワークのＳＳＩＤ及び接続パスワードをＷＩＦＩフレームにおける予め設定されたフィールドに書き込んで、ＷＩＦＩフレームを生成することにより、前記第２端末が前記ＷＩＦＩフレームを解析して前記構成データを取得した後、前記構成データに基づいて選択されたネットワークに接続することを含むことを特徴とする請求項２に記載の方法。
【請求項４】
前記構成データがＳＳＩＤ、接続パスワード、チャンネル番号及び暗号化方式を含み、
前記ＷＩＦＩフレームを生成するとともに、前記ＷＩＦＩフレームにおける予め設定されたフィールドに前記構成データを設定することは、
ユーザーのＳＳＩＤ、接続パスワード、チャンネル番号及び暗号化方式を受信することと、
ユーザーにより入力された前記ＳＳＩＤ、接続パスワード、チャンネル番号及び暗号化方式を前記ＷＩＦＩフレームにおける予め設定されたフィールドに書き込んで、ＷＩＦＩフレームを生成することにより、前記第２端末が前記ＷＩＦＩフレームを受信、解析して前記構成データを取得した後、前記構成データに基づいて無線ネットワークをセットアップすることとを含むことを特徴とする請求項２に記載の方法。
【請求項５】
前記構成データのバイト数が前記ＷＩＦＩフレームにおける予め設定された長さを超えた時に、前記ＷＩＦＩフレームを生成することは、
予め設定された規則に基づいて前記構成データを少なくとも２部分のデータに分けることと、
それぞれその一部の構成データが含まれている複数の前記ＷＩＦＩフレームを生成することとを含むことを特徴とする請求項１に記載の方法。
【請求項６】
前記ＷＩＦＩフレームをブロードキャストすることにより、前記第２端末が前記ＷＩＦＩフレームを受信した後、前記ＷＩＦＩフレームを解析して取得された前記構成データに基づいて前記第２端末を構成することは、
生成された前記複数のＷＩＦＩフレームを順にブロードキャストすることにより、前記第２端末が複数のＷＩＦＩフレームを受信した後、受信されたＷＩＦＩフレームを解析するとともに、前記予め設定された規則に基づいて解析された各ＷＩＦＩフレームにおける一部の構成データを組合せて前記構成データを取得し、且つ前記構成データに基づいて前記第２端末を構成することを含むことを特徴とする請求項５に記載の方法。
【請求項７】
第２端末に用いられる構成方法において、
第１端末により送信された、前記第２端末を構成するための構成データを含むＷＩＦＩフレームをモニタリングすることと、
前記ＷＩＦＩフレームがモニタリングされた後、前記ＷＩＦＩフレームを解析して、前記構成データを取得することと、
前記構成データに基づいて構成を行うこととを含むことを特徴とする方法。
【請求項８】
前記ＷＩＦＩフレームがモニタリングされた後、前記ＷＩＦＩフレームを解析して、前記構成データを取得することは、
ＷＩＦＩフレームがモニタリングされた後、前記ＷＩＦＩフレームにおける予め設定されたフィールドを解析して、前記構成データを取得することを含むことを特徴とする請求項７に記載の方法。
【請求項９】
前記構成データにＳＳＩＤ及び接続パスワードを含み、
前記構成データに基づいて構成を行うことは、前記ＳＳＩＤ及び接続パスワードにより相応的なネットワークに接続することを含み、
或いは、
前記構成データがＳＳＩＤ、接続パスワード、チャンネル番号及び暗号化方式を含み、前記構成データに基づいて構成を行うことは、前記ＳＳＩＤ、接続パスワード、チャンネル番号及び暗号化方式によって無線ネットワークをセットアップすることを含むことを特徴とする請求項８に記載の方法。
【請求項１０】
前記ＷＩＦＩフレームがモニタリングされた後、前記ＷＩＦＩフレームにおける予め設定されたフィールドを解析して、前記構成データを取得することは、
ＷＩＦＩフレームがモニタリングされた後、モニタリングされた前記ＷＩＦＩフレームが複数であるか否かを判断することと、
前記モニタリングされたＷＩＦＩフレームが複数である時に、受信されたＷＩＦＩフレームにおける予め設定されたフィールドをそれぞれ解析するとともに、予め設定された規則に基づいて前記予め設定されたフィールドを解析して取得された各部分のデータを組合せて、前記構成データを取得することとを含むことを特徴とする請求項８に記載の方法。
【請求項１１】
第１端末に用いられる構成装置において、
第２端末を構成するための構成データを含むＷＩＦＩフレームを生成するための生成モジュールと、
前記ＷＩＦＩフレームをブロードキャストすることにより、前記第２端末が前記ＷＩＦＩフレームを受信した後、前記ＷＩＦＩフレームを解析して取得された前記構成データに基づいて前記第２端末を構成するためのブロードキャストモジュールとを含むことを特徴とする装置。
【請求項１２】
前記生成モジュールは、
前記第２端末との通信接続を確立する前に、管理フレーム、制御フレーム或いはデータフレームを含むＷＩＦＩフレームを生成するとともに、前記ＷＩＦＩフレームにおける予め設定されたフィールドに前記構成データを設定するように用いられることを特徴とする請求項１１に記載の装置。
【請求項１３】
前記構成データにＳＳＩＤ及び接続パスワードを含み、
前記生成モジュールが、
前記第１端末に既に保存されているネットワークのＳＳＩＤ及び接続パスワードを取得するとともに、その中から構成しようとするネットワークのＳＳＩＤ及び接続パスワードを選択するための構成データ第１取得サブモジュールと、
選択されたネットワークのＳＳＩＤ及び接続パスワードをＷＩＦＩフレームにおける予め設定されたフィールドに書き込んで、ＷＩＦＩフレームを生成することにより、前記第２端末が前記ＷＩＦＩフレームを解析して前記構成データを取得した後、前記構成データに基づいて選択されたネットワークに接続するための構成データ第１付加サブモジュールとを含むことを特徴とする請求項１２に記載の装置。
【請求項１４】
前記構成データがＳＳＩＤ、接続パスワード、チャンネル番号及び暗号化方式を含み、
前記生成モジュールが、
ユーザーのＳＳＩＤ、接続パスワード、チャンネル番号及び暗号化方式を受信するための構成データ第２取得サブモジュールと、
ユーザーにより入力された前記ＳＳＩＤ、接続パスワード、チャンネル番号及び暗号化方式を前記ＷＩＦＩフレームにおける予め設定されたフィールドに書き込んで、ＷＩＦＩフレームを生成することにより、前記第２端末が前記ＷＩＦＩフレームを受信、解析して前記構成データを取得した後、前記構成データに基づいて無線ネットワークをセットアップするための構成データ第２付加サブモジュールとを含むことを特徴とする請求項１２に記載の装置。
【請求項１５】
前記構成データのバイト数が前記ＷＩＦＩフレームにおける予め設定された長さを超えた時に、前記生成モジュールが、
予め設定された規則に基づいて前記構成データを少なくとも２部分のデータに分けるためのデータ分割サブモジュールと、
それぞれその一部の構成データが含まれている複数の前記ＷＩＦＩフレームを生成するための複数フレーム生成サブモジュールとを含むことを特徴とする請求項１１に記載の装置。
【請求項１６】
前記ブロードキャストモジュールは、
生成された前記複数のＷＩＦＩフレームを順にブロードキャストすることにより、前記第２端末が複数のＷＩＦＩフレームを受信した後、受信されたＷＩＦＩフレームを解析するとともに、前記予め設定された規則に基づいて解析された各ＷＩＦＩフレームにおける一部の構成データを組合せて前記構成データを取得し、且つ前記構成データに基づいて前記第２端末を構成するように用いられることを特徴とする請求項１５に記載の装置。
【請求項１７】
第２端末に用いられる構成装置において、
第１端末により送信された、前記第２端末を構成するための構成データを含むＷＩＦＩフレームをモニタリングするためのモニタリングモジュールと、
前記ＷＩＦＩフレームがモニタリングされた後、前記ＷＩＦＩフレームを解析して、前記構成データを取得するための解析モジュールと、
前記構成データに基づいて構成を行うための構成モジュールとを含むことを特徴とする装置。
【請求項１８】
前記解析モジュールは、
ＷＩＦＩフレームがモニタリングされた後、前記ＷＩＦＩフレームにおける予め設定されたフィールドを解析して、前記構成データを取得するように用いられることを特徴とする請求項１７に記載の装置。
【請求項１９】
前記構成データにＳＳＩＤ及び接続パスワードを含み、
前記構成モジュールが前記ＳＳＩＤ及び接続パスワードにより相応的なネットワークに接続するために用いられ、
或いは、
前記構成データがＳＳＩＤ、接続パスワード、チャンネル番号及び暗号化方式を含み、
前記構成モジュールが前記ＳＳＩＤ、接続パスワード、チャンネル番号及び暗号化方式によって無線ネットワークをセットアップするために用いられることを特徴とする請求項１８に記載の装置。
【請求項２０】
前記解析モジュールは、
ＷＩＦＩフレームがモニタリングされた後、モニタリングされた前記ＷＩＦＩフレームが複数であるか否かを判断し、前記モニタリングされたＷＩＦＩフレームが複数である時に、データ組合せサブモジュールをトリガーするための複数フレーム判断サブモジュールと、
受信されたＷＩＦＩフレームにおける予め設定されたフィールドをそれぞれ解析するとともに、予め設定された規則に基づいて前記予め設定されたフィールドを解析して取得された各部分のデータを組合せて、前記構成データを取得するためのデータ組合せサブモジュールとを含むことを特徴とする請求項１８に記載の装置。
【請求項２１】
プロセッサーと、
プロセッサーが実行可能なコマンドを記憶するためのメモリーとを含み、
その中に、前記プロセッサーは、
第２端末を構成するための構成データを含むＷＩＦＩフレームを生成し、
前記ＷＩＦＩフレームをブロードキャストすることにより、前記第２端末が前記ＷＩＦＩフレームを受信した後、前記ＷＩＦＩフレームを解析して取得された前記構成データに基づいて前記第２端末を構成するように設けられていることを特徴とする構成装置。
【請求項２２】
構成装置であって、
プロセッサーと、
プロセッサーが実行可能なコマンドを記憶するためのメモリーとを含み、
その中に、前記プロセッサーは、
第１端末により送信された、前記装置を構成するための構成データを含むＷＩＦＩフレームをモニタリングし、
前記ＷＩＦＩフレームがモニタリングされた後、前記ＷＩＦＩフレームを解析して、前記構成データを取得し、
前記構成データに基づいて構成を行うように設けられていることを特徴とする構成装置。
【発明の詳細な説明】
【相互参照】
【０００１】
本願は、出願番号がＣＮ２０１４１０７７１８８０２．０であり、出願日が２０１４年１２月１２日である中国特許出願に基いて出願されるもので、且つ該中国特許出願に基く優先権が主張され、該中国特許出願の全部内容がここで参考として全て本願に取込まれたようになる。
【技術分野】
【０００２】
本開示が端末機器の間の通信という技術分野に関し、特に構成方法及び装置に関する。
【背景技術】
【０００３】
技術の発展につれて、人類が端末機器を構成する時に、複雑なケーブル及び煩わしい設定ステップから脱却できるように希望している。スマートテレビを例とすれば、現在、スマートテレビがだんだん人々の家に進入して行き、伝統的なテレビと比べて、スマートテレビが無線インターネット接続、ダウンロードなどのより多い機能を有する。ユーザーがスマートテレビを直接に購入する以外に、スマートテレビボックスを購入することも可能であり、それを伝統的なテレビと接続した後スマートテレビを取得することもできる。スマートテレビが無線インターネット接続などの機能を実現できるために、スマートテレビを構成する必要がある。係る技術において、スマートテレビのリモコンを使用してスマートテレビを構成することができ、例えば、リモコンで現在に使用可能なＷＩＦＩリストをスキャンして、そして、接続しようとするＷＩＦＩネットワークを選択して、最後にリモコンにＷＩＦＩパスワードを入力して無線接続を実現する。
【発明の概要】
【０００４】
係る技術において存在する問題を解決するために、本開示が端末機器を構成する時に操作が煩わしいという技術問題を解決するための構成方法及び装置を提供した。
【０００５】
本開示の実施例における第１方面によると、第１端末に用いられる構成方法が提供され、該方法は、
第２端末を構成するための構成データを含むＷＩＦＩフレームを生成することと、
前記ＷＩＦＩフレームをブロードキャストすることにより、前記第２端末が前記ＷＩＦＩフレームを受信した後、前記ＷＩＦＩフレームを解析して取得された前記構成データに基づいて前記第２端末を構成することとを含む。
【０００６】
また、前記ＷＩＦＩフレームを生成することは、
前記第２端末との通信接続を確立する前に、管理フレーム、制御フレーム或いはデータフレームを含むＷＩＦＩフレームを生成するとともに、前記ＷＩＦＩフレームにおける予め設定されたフィールドに前記構成データを設定することを含むことが好ましい。
【０００７】
また、前記構成データにＳＳＩＤ及び接続パスワードを含み、
前記ＷＩＦＩフレームを生成するとともに、前記ＷＩＦＩフレームにおける予め設定されたフィールドに前記構成データを設定することは、
移動端末に既に保存されているネットワークのＳＳＩＤ及び接続パスワードを取得するとともに、その中から構成しようとするネットワークのＳＳＩＤ及び接続パスワードを選択することと、
選択されたネットワークのＳＳＩＤ及び接続パスワードをＷＩＦＩフレームにおける予め設定されたフィールドに書き込んで、ＷＩＦＩフレームを生成することにより、前記第２端末が前記ＷＩＦＩフレームを解析して前記構成データを取得した後、前記構成データに基づいて選択されたネットワークに接続することを含むことが好ましい。
【０００８】
また、前記構成データがＳＳＩＤ、接続パスワード、チャンネル番号及び暗号化方式を含み、
前記ＷＩＦＩフレームを生成するとともに、前記ＷＩＦＩフレームにおける予め設定されたフィールドに前記構成データを設定することは、
ユーザーのＳＳＩＤ、接続パスワード、チャンネル番号及び暗号化方式を受信することと、
ユーザーにより入力された前記ＳＳＩＤ、接続パスワード、チャンネル番号及び暗号化方式を前記ＷＩＦＩフレームにおける予め設定されたフィールドに書き込んで、ＷＩＦＩフレームを生成することにより、前記第２端末が前記ＷＩＦＩフレームを受信、解析して前記構成データを取得した後、前記構成データに基づいて無線ネットワークをセットアップすることとを含むことが好ましい。
【０００９】
また、前記構成データのバイト数が前記ＷＩＦＩフレームにおける予め設定された長さを超えた時に、前記ＷＩＦＩフレームを生成することは、
予め設定された規則に基づいて前記構成データを少なくとも２部分のデータに分けることと、
それぞれその一部の構成データが含まれている複数の前記ＷＩＦＩフレームを生成することとを含むことが好ましい。
【００１０】
また、前記ＷＩＦＩフレームをブロードキャストすることにより、前記第２端末が前記ＷＩＦＩフレームを受信した後、前記ＷＩＦＩフレームを解析して取得された前記構成データに基づいて前記第２端末を構成することは、
生成された前記複数のＷＩＦＩフレームを順にブロードキャストすることにより、前記第２端末が複数のＷＩＦＩフレームを受信した後、受信されたＷＩＦＩフレームを解析するとともに、前記予め設定された規則に基づいて解析された各ＷＩＦＩフレームにおける一部の構成データを組合せて前記構成データを取得し、且つ前記構成データに基づいて前記第２端末を構成することが好ましい。
【００１１】
本開示の実施例における第２方面によると、第２端末に用いられる構成方法が提供され、前記方法は、
第１端末により送信された、前記第２端末を構成するための構成データを含むＷＩＦＩフレームをモニタリングすることと、
前記ＷＩＦＩフレームがモニタリングされた後、前記ＷＩＦＩフレームを解析して、前記構成データを取得することと、
前記構成データに基づいて構成を行うこととを含む。
【００１２】
また、前記ＷＩＦＩフレームがモニタリングされた後、前記ＷＩＦＩフレームを解析して、前記構成データを取得することは、
ＷＩＦＩフレームがモニタリングされた後、前記ＷＩＦＩフレームにおける予め設定されたフィールドを解析して、前記構成データを取得することを含むことが好ましい。
【００１３】
また、前記構成データにＳＳＩＤ及び接続パスワードを含み、
前記構成データに基づいて構成を行うことは、前記ＳＳＩＤ及び接続パスワードにより相応的なネットワークに接続することを含み、
或いは、
前記構成データがＳＳＩＤ、接続パスワード、チャンネル番号及び暗号化方式を含み、前記構成データに基づいて構成を行うことは、前記ＳＳＩＤ、接続パスワード、チャンネル番号及び暗号化方式によって無線ネットワークをセットアップすることを含むことが好ましい。
【００１４】
また、前記ＷＩＦＩフレームがモニタリングされた後、前記ＷＩＦＩフレームにおける予め設定されたフィールドを解析して、前記構成データを取得することは、
ＷＩＦＩフレームがモニタリングされた後、モニタリングされた前記ＷＩＦＩフレームが複数であるか否かを判断することと、
前記モニタリングされたＷＩＦＩフレームが複数である時に、受信されたＷＩＦＩフレームにおける予め設定されたフィールドをそれぞれ解析するとともに、予め設定された規則に基づいて前記予め設定されたフィールドを解析して取得された各部分のデータを組合せて、前記構成データを取得することとを含むことが好ましい。
【００１５】
本開示の実施例における第３方面によると、第１端末に用いられる構成装置が提供され、該装置は、
第２端末を構成するための構成データを含むＷＩＦＩフレームを生成するための生成モジュールと、
前記ＷＩＦＩフレームをブロードキャストすることにより、前記第２端末が前記ＷＩＦＩフレームを受信した後、前記ＷＩＦＩフレームを解析して取得された前記構成データに基づいて前記第２端末を構成するためのブロードキャストモジュールとを含む。
【００１６】
また、前記生成モジュールは、
前記第２端末との通信接続を確立する前に、管理フレーム、制御フレーム或いはデータフレームを含むＷＩＦＩフレームを生成するとともに、前記ＷＩＦＩフレームにおける予め設定されたフィールドに前記構成データを設定するように用いられることが好ましい。
【００１７】
また、前記構成データにＳＳＩＤ及び接続パスワードを含み、
前記生成モジュールが、
前記第１端末に既に保存されているネットワークのＳＳＩＤ及び接続パスワードを取得するとともに、その中から構成しようとするネットワークのＳＳＩＤ及び接続パスワードを選択するための構成データ第１取得サブモジュールと、
選択されたネットワークのＳＳＩＤ及び接続パスワードをＷＩＦＩフレームにおける予め設定されたフィールドに書き込んで、ＷＩＦＩフレームを生成することにより、前記第２端末が前記ＷＩＦＩフレームを解析して前記構成データを取得した後、前記構成データに基づいて選択されたネットワークに接続するための構成データ第１付加サブモジュールとを含むことが好ましい。
【００１８】
また、前記構成データがＳＳＩＤ、接続パスワード、チャンネル番号及び暗号化方式を含み、
前記生成モジュールが、
ユーザーのＳＳＩＤ、接続パスワード、チャンネル番号及び暗号化方式を受信するための構成データ第２取得サブモジュールと、
ユーザーにより入力された前記ＳＳＩＤ、接続パスワード、チャンネル番号及び暗号化方式を前記ＷＩＦＩフレームにおける予め設定されたフィールドに書き込んで、ＷＩＦＩフレームを生成することにより、前記第２端末が前記ＷＩＦＩフレームを受信、解析して前記構成データを取得した後、前記構成データに基づいて無線ネットワークをセットアップするための構成データ第２付加サブモジュールとを含むことが好ましい。
【００１９】
また、前記構成データのバイト数が前記ＷＩＦＩフレームにおける予め設定された長さを超えた時に、前記生成モジュールが、
予め設定された規則に基づいて前記構成データを少なくとも２部分のデータに分けるためのデータ分割サブモジュールと、
それぞれその一部の構成データが含まれている複数の前記ＷＩＦＩフレームを生成するための複数フレーム生成サブモジュールとを含むことが好ましい。
【００２０】
また、前記ブロードキャストモジュールは、
生成された前記複数のＷＩＦＩフレームを順にブロードキャストすることにより、前記第２端末が複数のＷＩＦＩフレームを受信した後、受信されたＷＩＦＩフレームを解析するとともに、前記予め設定された規則に基づいて解析された各ＷＩＦＩフレームにおける一部の構成データを組合せて前記構成データを取得し、且つ前記構成データに基づいて前記第２端末を構成するように用いられることが好ましい。
【００２１】
本開示の実施例における第４方面によると、第２端末に用いられる構成装置が提供され、該装置は、
第１端末により送信された、前記第２端末を構成するための構成データを含むＷＩＦＩフレームをモニタリングするためのモニタリングモジュールと、
前記ＷＩＦＩフレームがモニタリングされた後、前記ＷＩＦＩフレームを解析して、前記構成データを取得するための解析モジュールと、
前記構成データに基づいて構成を行うための構成モジュールとを含むことが好ましい。
【００２２】
また、前記解析モジュールは、
ＷＩＦＩフレームがモニタリングされた後、前記ＷＩＦＩフレームにおける予め設定されたフィールドを解析して、前記構成データを取得するように用いられることが好ましい。
【００２３】
また、前記構成データにＳＳＩＤ及び接続パスワードを含み、
前記構成モジュールが前記ＳＳＩＤ及び接続パスワードにより相応的なネットワークに接続するために用いられ、
或いは、
前記構成データがＳＳＩＤ、接続パスワード、チャンネル番号及び暗号化方式を含み、
前記構成モジュールが前記ＳＳＩＤ、接続パスワード、チャンネル番号及び暗号化方式によって無線ネットワークをセットアップするために用いられることが好ましい。
【００２４】
また、前記解析モジュールは、
ＷＩＦＩフレームがモニタリングされた後、モニタリングされた前記ＷＩＦＩフレームが複数であるか否かを判断し、前記モニタリングされたＷＩＦＩフレームが複数である時に、データ組合せサブモジュールをトリガーするための複数フレーム判断サブモジュールと、
受信されたＷＩＦＩフレームにおける予め設定されたフィールドをそれぞれ解析するとともに、予め設定された規則に基づいて前記予め設定されたフィールドを解析して取得された各部分のデータを組合せて、前記構成データを取得するためのデータ組合せサブモジュールとを含むことが好ましい。
【００２５】
本開示の実施例における第５方面によると、構成装置が提供され、該装置は、
プロセッサーと、
プロセッサーが実行可能なコマンドを記憶するためのメモリーとを含み、
その中に、前記プロセッサーは、
第２端末を構成するための構成データを含むＷＩＦＩフレームを生成し、
前記ＷＩＦＩフレームをブロードキャストすることにより、前記第２端末が前記ＷＩＦＩフレームを受信した後、前記ＷＩＦＩフレームを解析して取得された前記構成データに基づいて前記第２端末を構成するように設けられている。
【００２６】
本開示の実施例における第６方面によると、構成装置が提供され、該装置は、
プロセッサーと、
プロセッサーが実行可能なコマンドを記憶するためのメモリーとを含み、
その中に、前記プロセッサーは、
第１端末により送信された、前記装置を構成するための構成データを含むＷＩＦＩフレームをモニタリングし、
前記ＷＩＦＩフレームがモニタリングされた後、前記ＷＩＦＩフレームを解析して、前記構成データを取得し、
前記構成データに基づいて構成を行うように設けられている。
【００２７】
本開示の実施例に提供された技術方案が下記の有益な効果を含む。
【００２８】
本開示の実施例において、第１端末（携帯電話を例とする。）と第２端末（スマートテレビを例とする。）との間で如何なる接続を予め確立する必要が無く、携帯電話が構成データをＷＩＦＩフレームに付加した後、外部へ送信し、スマートテレビがデータモニタリングインターフェイスをオンし、受信されたＷＩＦＩフレームにおける構成データに基づいて自体の構成を完成する。例えば、携帯電話がＷＩＦＩネットワーク的ＳＳＩＤ及びｐａｓｓｗｏｒｄをＰｒｏｂｅ  Ｒｅｑｕｅｓｔに付加することができ、スマートテレビが受信した後該ＳＳＩＤ及びｐａｓｓｗｏｒｄによって該ＷＩＦＩアクセスポイントに接続こともできる。このようにして、携帯電話によって得られるＷＩＦＩネットワークをスマートテレビにシェアするという機能を高効率に実現し、スマートテレビに対する煩わしい構成過程を免除して、端末機器に対する構成の時の操作効率を向上した。
【００２９】
理解すべきことは、上記の一般的な説明及び後述の詳細な説明は、例示及び解釈のためのものだけであり、本開示を限定するためのものではない。
【図面の簡単な説明】
【００３０】
ここの図面が明細書に取込まれて本明細書の一部になり、本発明に合致した実施例を示すとともに、明細書と一緒に本発明の原理を解釈するために用いられる。
【００３１】
【図１】１つの例示するための実施例により示された構成方法のフローチャートである。
【００３２】
【図２】１つの例示するための実施例により示された構成方法のフローチャートである。
【００３３】
【図３】１つの例示するための実施例により示された、スマートテレビを構成するためのシーン概略図である。
【００３４】
【図４】１つの例示するための実施例により示されたオペレータインターフェイスの概略図である。
【００３５】
【図５】１つの例示するための実施例により示された構成方法のフローチャートである。
【００３６】
【図６】１つの例示するための実施例により示された、スマートテレビを構成するためのシーン概略図である。
【００３７】
【図７】１つの例示するための実施例により示された構成方法のフローチャートである。
【００３８】
【図８】１つの例示するための実施例により示された構成方法のフローチャートである。
【００３９】
【図９】１つの例示するための実施例により示された構成方法のフローチャートである。
【００４０】
【図１０】１つの例示するための実施例により示された構成方法のシグナルマップである。
【００４１】
【図１１】１つの例示するための実施例により示された構成方法のシグナルマップである。
【００４２】
【図１２】１つの例示するための実施例により示された構成装置のブロック図である。
【００４３】
【図１３】１つの例示するための実施例により示された構成装置のブロック図である。
【００４４】
【図１４】１つの例示するための実施例により示された構成装置のブロック図である。
【００４５】
【図１５】１つの例示するための実施例により示された構成装置のブロック図である。
【００４６】
【図１６】１つの例示するための実施例により示された構成装置のブロック図である。
【００４７】
【図１７】１つの例示するための実施例により示された構成装置のブロック図である。
【００４８】
【図１８】１つの例示するための実施例により示された、装置を構成するためのブロック図である。
【発明を実施するための形態】
【００４９】
ここで例示するための実施例を詳細に説明し、その例示が図面に示された。以下の説明が図面に係る時に、別途に特に示されているもの以外に、異なる図面における同じ符号が相同又は類似する要素を表す。以下の例示するための実施例に記載の実施の形態が本発明と一致する全ての実施の形態を代表するものではない。逆に、これらが特許請求の範囲に記載の本発明の一部の方面と一致する装置及び方法の例だけである。
【００５０】
本開示の実施例に第１端末に用いられる構成方法が公開され、該方法は、
第２端末を構成するための構成データを含むＷＩＦＩフレームを生成することと、
前記ＷＩＦＩフレームをブロードキャストすることにより、前記第２端末が前記ＷＩＦＩフレームを受信した後、前記ＷＩＦＩフレームを解析して取得された前記構成データに基づいて前記第２端末を構成することとを含む。
【００５１】
また、前記ＷＩＦＩフレームを生成することは、
前記第２端末との通信接続を確立する前に、管理フレーム、制御フレーム或いはデータフレームを含むＷＩＦＩフレームを生成するとともに、前記ＷＩＦＩフレームにおける予め設定されたフィールドに前記構成データを設定することを含むことが好ましい。
【００５２】
また、前記構成データにＳＳＩＤ及び接続パスワードを含み、
前記ＷＩＦＩフレームを生成するとともに、前記ＷＩＦＩフレームにおける予め設定されたフィールドに前記構成データを設定することは、
前記移動端末に既に保存されているネットワークのＳＳＩＤ及び接続パスワードを取得するとともに、その中から構成しようとするネットワークのＳＳＩＤ及び接続パスワードを選択することと、
選択されたネットワークのＳＳＩＤ及び接続パスワードをＷＩＦＩフレームにおける予め設定されたフィールドに書き込んで、ＷＩＦＩフレームを生成することにより、前記第２端末が前記ＷＩＦＩフレームを解析して前記構成データを取得した後、前記構成データに基づいて選択されたネットワークに接続することを含むことが好ましい。
【００５３】
また、前記構成データがＳＳＩＤ、接続パスワード、チャンネル（ｃｈａｎｎｅｌ）番号及び暗号化方式を含み、
前記ＷＩＦＩフレームを生成するとともに、前記ＷＩＦＩフレームにおける予め設定されたフィールドに前記構成データを設定することは、
ユーザーのＳＳＩＤ、接続パスワード、チャンネル番号及び暗号化方式を受信することと、
ユーザーにより入力された前記ＳＳＩＤ、接続パスワード、チャンネル番号及び暗号化方式を前記ＷＩＦＩフレームにおける予め設定されたフィールドに書き込んで、ＷＩＦＩフレームを生成することにより、前記第２端末が前記ＷＩＦＩフレームを受信、解析して前記構成データを取得した後、前記構成データに基づいて無線ネットワークをセットアップすることとを含むことが好ましい。
【００５４】
また、前記構成データのバイト数が前記ＷＩＦＩフレームにおける予め設定された長さを超えた時に、前記ＷＩＦＩフレームを生成することは、
予め設定された規則に基づいて前記構成データを少なくとも２部分のデータに分けることと、
それぞれその一部の構成データが含まれている複数の前記ＷＩＦＩフレームを生成することとを含むことが好ましい。
【００５５】
また、前記ＷＩＦＩフレームをブロードキャストすることにより、前記第２端末が前記ＷＩＦＩフレームを受信した後、前記ＷＩＦＩフレームを解析して取得された前記構成データに基づいて前記第２端末を構成することは、
生成された前記複数のＷＩＦＩフレームを順にブロードキャストすることにより、前記第２端末が複数のＷＩＦＩフレームを受信した後、受信されたＷＩＦＩフレームを解析するとともに、前記予め設定された規則に基づいて解析された各ＷＩＦＩフレームにおける一部の構成データを組合せて前記構成データを取得し、且つ前記構成データに基づいて前記第２端末を構成することが好ましい。
【００５６】
本開示の実施例に第２端末に用いられる構成方法がさらに公開され、該方法は、
第１端末により送信された、前記第２端末を構成するための構成データを含むＷＩＦＩフレームをモニタリングすることと、
前記ＷＩＦＩフレームがモニタリングされた後、前記ＷＩＦＩフレームを解析して、前記構成データを取得することと、
前記構成データに基づいて構成を行うこととを含む。
【００５７】
また、前記ＷＩＦＩフレームがモニタリングされた後、前記ＷＩＦＩフレームを解析して、前記構成データを取得することは、
ＷＩＦＩフレームがモニタリングされた後、前記ＷＩＦＩフレームにおける予め設定されたフィールドを解析して、前記構成データを取得することを含むことが好ましい。
【００５８】
また、前記構成データにＳＳＩＤ及び接続パスワードを含み、
前記構成データに基づいて構成を行うことは、前記ＳＳＩＤ及び接続パスワードにより相応的なネットワークに接続することを含み、
或いは、
前記構成データがＳＳＩＤ、接続パスワード、チャンネル番号及び暗号化方式を含み、前記構成データに基づいて構成を行うことは、前記ＳＳＩＤ、接続パスワード、チャンネル番号及び暗号化方式によって無線ネットワークをセットアップすることを含むことが好ましい。
【００５９】
また、前記ＷＩＦＩフレームがモニタリングされた後、前記ＷＩＦＩフレームにおける予め設定されたフィールドを解析して、前記構成データを取得することは、
ＷＩＦＩフレームがモニタリングされた後、モニタリングされた前記ＷＩＦＩフレームが複数であるか否かを判断することと、
前記モニタリングされたＷＩＦＩフレームが複数である時に、受信されたＷＩＦＩフレームにおける予め設定されたフィールドをそれぞれ解析するとともに、予め設定された規則に基づいて前記予め設定されたフィールドを解析して取得された各部分のデータを組合せて、前記構成データを取得することとを含むことが好ましい。
【００６０】
本開示の実施例に第１端末に用いられる構成装置がさらに公開され、該装置は、
第２端末を構成するための構成データを含むＷＩＦＩフレームを生成するための生成モジュールと、
前記ＷＩＦＩフレームをブロードキャストすることにより、前記第２端末が前記ＷＩＦＩフレームを受信した後、前記ＷＩＦＩフレームを解析して取得された前記構成データに基づいて前記第２端末を構成するためのブロードキャストモジュールとを含む。
【００６１】
また、前記生成モジュールは、
前記第２端末との通信接続を確立する前に、管理フレーム、制御フレーム或いはデータフレームを含むＷＩＦＩフレームを生成するとともに、前記ＷＩＦＩフレームにおける予め設定されたフィールドに前記構成データを設定するように用いられることが好ましい。
【００６２】
また、前記構成データにＳＳＩＤ及び接続パスワードを含み、
前記生成モジュールが、
前記第１端末に既に保存されているネットワークのＳＳＩＤ及び接続パスワードを取得するとともに、その中から構成しようとするネットワークのＳＳＩＤ及び接続パスワードを選択するための構成データ第１取得サブモジュールと、
選択されたネットワークのＳＳＩＤ及び接続パスワードをＷＩＦＩフレームにおける予め設定されたフィールドに書き込んで、ＷＩＦＩフレームを生成することにより、前記第２端末が前記ＷＩＦＩフレームを解析して前記構成データを取得した後、前記構成データに基づいて選択されたネットワークに接続するための構成データ第１付加サブモジュールとを含むことが好ましい。
【００６３】
また、前記構成データがＳＳＩＤ、接続パスワード、チャンネル番号及び暗号化方式を含み、
前記生成モジュールが、
ユーザーのＳＳＩＤ、接続パスワード、チャンネル番号及び暗号化方式を受信するための構成データ第２取得サブモジュールと、
ユーザーにより入力された前記ＳＳＩＤ、接続パスワード、チャンネル番号及び暗号化方式を前記ＷＩＦＩフレームにおける予め設定されたフィールドに書き込んで、ＷＩＦＩフレームを生成することにより、前記第２端末が前記ＷＩＦＩフレームを受信、解析して前記構成データを取得した後、前記構成データに基づいて無線ネットワークをセットアップするための構成データ第２付加サブモジュールとを含むことが好ましい。
【００６４】
また、前記構成データのバイト数が前記ＷＩＦＩフレームにおける予め設定された長さを超えた時に、前記生成モジュールが、
予め設定された規則に基づいて前記構成データを少なくとも２部分のデータに分けるためのデータ分割サブモジュールと、
それぞれその一部の構成データが含まれている複数の前記ＷＩＦＩフレームを生成するための複数フレーム生成サブモジュールとを含むことが好ましい。
【００６５】
また、前記ブロードキャストモジュールは、
生成された前記複数のＷＩＦＩフレームを順にブロードキャストすることにより、前記第２端末が複数のＷＩＦＩフレームを受信した後、受信されたＷＩＦＩフレームを解析するとともに、前記予め設定された規則に基づいて解析された各ＷＩＦＩフレームにおける一部の構成データを組合せて前記構成データを取得し、且つ前記構成データに基づいて前記第２端末を構成するように用いられることが好ましい。
【００６６】
本開示の実施例に第２端末に用いられる構成装置がさらに公開され、該装置は、
第１端末により送信された、前記第２端末を構成するための構成データを含むＷＩＦＩフレームをモニタリングするためのモニタリングモジュールと、
前記ＷＩＦＩフレームがモニタリングされた後、前記ＷＩＦＩフレームを解析して、前記構成データを取得するための解析モジュールと、
前記構成データに基づいて構成を行うための構成モジュールとを含むことが好ましい。
【００６７】
また、前記解析モジュールは、
ＷＩＦＩフレームがモニタリングされた後、前記ＷＩＦＩフレームにおける予め設定されたフィールドを解析して、前記構成データを取得するように用いられることが好ましい。
【００６８】
また、前記構成データにＳＳＩＤ及び接続パスワードを含み、
前記構成モジュールが前記ＳＳＩＤ及び接続パスワードにより相応的なネットワークに接続するために用いられ、
或いは、
前記構成データがＳＳＩＤ、接続パスワード、チャンネル番号及び暗号化方式を含み、
前記構成モジュールが前記ＳＳＩＤ、接続パスワード、チャンネル番号及び暗号化方式によって無線ネットワークをセットアップするために用いられることが好ましい。
【００６９】
また、前記解析モジュールは、
ＷＩＦＩフレームがモニタリングされた後、モニタリングされた前記ＷＩＦＩフレームが複数であるか否かを判断し、前記モニタリングされたＷＩＦＩフレームが複数である時に、データ組合せサブモジュールをトリガーするための複数フレーム判断サブモジュールと、
受信されたＷＩＦＩフレームにおける予め設定されたフィールドをそれぞれ解析するとともに、予め設定された規則に基づいて前記予め設定されたフィールドを解析して取得された各部分のデータを組合せて、前記構成データを取得するためのデータ組合せサブモジュールとを含むことが好ましい。
【００７０】
本開示の実施例に下記の構成装置がさらに公開され、該装置は、
プロセッサーと、
プロセッサーが実行可能なコマンドを記憶するためのメモリーとを含み、
その中に、前記プロセッサーは、
第２端末を構成するための構成データを含むＷＩＦＩフレームを生成し、
前記ＷＩＦＩフレームをブロードキャストすることにより、前記第２端末が前記ＷＩＦＩフレームを受信した後、前記ＷＩＦＩフレームを解析して取得された前記構成データに基づいて前記第２端末を構成するように設けられている。
【００７１】
本開示の実施例に下記の構成装置がさらに公開され、該装置は、
プロセッサーと、
プロセッサーが実行可能なコマンドを記憶するためのメモリーとを含み、
その中に、前記プロセッサーは、
第１端末により送信された、前記装置を構成するための構成データを含むＷＩＦＩフレームをモニタリングし、
前記ＷＩＦＩフレームがモニタリングされた後、前記ＷＩＦＩフレームを解析して、前記構成データを取得し、
前記構成データに基づいて構成を行うように設けられている。
【００７２】
第１端末が携帯電話、タブレットＰＣなどの移動端末であってもよく、第２端末がスマートテレビ（スマートテレビボックスを含む。）、インテリジェントスピーカーなどであってもよい。ＷＩＦＩフレームがデータフレーム、管理フレーム及び制御フレームを含むことが可能であり、Ｐｒｏｂｅ  Ｒｅｑｕｅｓｔ（プローブ要求）が管理フレームの１種類である。以下、ＷＩＦＩフレームをＰｒｏｂｅ  Ｒｅｑｕｅｓｔとし、予め設定されたフィールドがＳＳＩＤフィールドであり、第１端末が携帯電話などの移動端末であり、第２端末がスマートテレビであることを例として、本開示の方案をさらに説明する。
【００７３】
図１が１つの例示するための実施例により示された構成方法のフローチャートである。該方法が携帯電話、タブレットＰＣなどの移動端末に用いられる。図１に示すように、該方法は、ステップＳ１０１と、ステップＳ１０２とを含む。
【００７４】
ステップＳ１０１において、移動端末がスマートテレビを構成するための構成データを含むＷＩＦＩフレームを生成する。
【００７５】
ユーザーがスマートテレビを構成しようとする時に、例えば、スマートテレビをあるＷＩＦＩアクセスポイントに接続し、或いはスマートテレビ自体がＷＩＦＩアクセスポイントになるなどのようにスマートテレビを構成することにより、携帯電話にスマートテレビを構成するための構成データが生成されて、そして、ＷＩＦＩフレームに付加される。
【００７６】
ステップＳ１０２において、スマートテレビがＷＩＦＩフレームを受信した後、ＷＩＦＩフレームを解析して取得された構成データに基づいてスマートテレビを構成するように移動端末がＷＩＦＩフレームをブロードキャストする。
【００７７】
本実施例において、携帯電話などの移動端末とスマートテレビとの間で如何なる接続を予め確立する必要がなく、スマートテレビのデータモニタリングインターフェイスをオンさせるとともに、携帯電話がＷＩＦＩフレームをブロードキャストの方式で送信して、スマートテレビがＷＩＦＩフレームがモニタリングされた後、その中から構成データを抽出して、相応的な構成操作を実行して、あるＷＩＦＩアクセスポイントに接続し、或は自体がＷＩＦＩアクセスポイントになるなどの機能を実現可能である。
【００７８】
該ＷＩＦＩフレームの具体的な類型、構造などについて本実施例において特に限定されない。例示として、該ＷＩＦＩフレームが８０２．１１規格のＰｒｏｂｅ  Ｒｅｑｕｅｓｔ（即ち、プローブ要求）である。ＷＩＦＩフレームを生成することは、
【００７９】
スマートテレビとの通信接続を確立する前に、構成データがＰｒｏｂｅ  ＲｅｑｕｅｓｔのＳＳＩＤフィールドに付加されているＰｒｏｂｅ  Ｒｅｑｕｅｓｔプローブ要求を生成することを含む。
【００８０】
Ｐｒｏｂｅ  Ｒｅｑｕｅｓｔが区域内で現在どのような８０２．１１ネットワークを有するかをスキャンするように用いられ、機器としてＰｒｏｂｅ  Ｒｅｑｕｅｓｔを主動的に送信して、ＡＰ（アクセスポイント）の該プローブフレームに対する応答（Ｐｒｏｂｅ  Ｒｅｓｐｏｎｓｅ）を待ち、この方式でＡＰに対する検知を実現する。発明者が本開示の方案を実現する過程において、Ｐｒｏｂｅ  Ｒｅｑｕｅｓｔを利用して構成データを付加することができると発見し、このようにして、携帯電話とスマートテレビとの間で如何なる接続を予め確立する必要がなく、スマートテレビがモニタリングするだけでよく、そして、スマートテレビを構成する時の操作過程がさらに簡略化された。
【００８１】
Ｐｒｏｂｅ  Ｒｅｑｕｅｓｔには１つのＳＳＩＤフィールド（ＳＳＩＤ  ｅｌｅｍｅｎｔ  ｃｏｎｔｅｎｔ）が含まれ、該フィールドが通常に特定なネットワークのＳＳＩＤ或は全てのネットワークのＳＳＩＤを設定することが可能であり、該フィールドが一番長い場合３２バイト（ＭＡＸ  ３２ｂｙｔｅ）になる。本開示の実施例において、構成データが該フィールドに付加されることが可能である。
【００８２】
本実施形態は本開示の他の一部の実施例において、構成データにＳＳＩＤ及び接続パスワードを含む。
【００８３】
相応的には図２に示すように、Ｐｒｏｂｅ  Ｒｅｑｕｅｓｔプローブ要求を生成することは、ステップＳ２０１と、ステップＳ２０２とを含む。
【００８４】
ステップＳ２０１において、移動端末が既に移動端末に保存されているネットワークのＳＳＩＤ及び接続パスワードを取得するとともに、その中から構成しようとするネットワークのＳＳＩＤ及び接続パスワードを選択する。
【００８５】
ステップＳ２０２において、スマートテレビが構成データに基づいて選択されたネットワークに接続するように、移動端末が選択されたネットワークのＳＳＩＤ及び接続パスワードをＰｒｏｂｅ  Ｒｅｑｕｅｓｔプローブ要求のＳＳＩＤフィールドに書き込んで、Ｐｒｏｂｅ  Ｒｅｑｕｅｓｔプローブ要求を生成する。
【００８６】
このようにして、携帯電話がＷＩＦＩアクセスポイントの情報をスマートテレビにシェアしたことに相当し、スマートテレビが受信されたＳＳＩＤ及び接続パスワードにより直接に相応的なＷＩＦＩアクセスポイントに接続することができるが、さらにリモコンを使用してスマートテレビを構成する必要がない。
【００８７】
例示として、該シーンが図３に示すようであり、図３において、３０１が携帯電話であり、３０２がスマートテレビボックス（テレビボックスと略称する。）であり、３０３がテレビであり、３０２と３０３とが共同にスマートテレビとして組合せられ、３０４があるＷｉＦｉアクセスポイント（ＡＰ）であり、携帯電話３０１がアクセスポイント３０４のＳＳＩＤ及び接続パスワードを外部へ送信し、テレビボックス３０２が受信した後、アクセスポイント３０４に接続することができる。
【００８８】
図４に示すインターフェイスにおいて、ユーザーが現在、携帯電話に既に保存されているＷｉＦｉのＳＳＩＤを見ることができ、「シェア」ボタンをクリックすれば、携帯電話が該ＷｉＦｉのＳＳＩＤ及び接続パスワードをＰｒｏｂｅ  Ｒｅｑｕｅｓｔフレームとしてパッケージして外部へ送信して、スマートテレビにシェアして使用する。
【００８９】
本実施形態は本開示の他の一部の実施例において、構成データがＳＳＩＤ、接続パスワード、チャンネル番号及び暗号化方式を含むことが可能である。
【００９０】
相応的に図５に示すように、Ｐｒｏｂｅ  Ｒｅｑｕｅｓｔプローブ要求を生成することは、ステップＳ５０１と、ステップＳ５０２とを含む。
【００９１】
ステップＳ５０１において、移動端末がユーザーのＳＳＩＤ、接続パスワード、チャンネル（ｃｈａｎｎｅｌ）番号及び暗号化方式を受信する。
【００９２】
ステップＳ５０２において、移動端末がユーザーにより入力されたＳＳＩＤ、接続パスワード、チャンネル番号及び暗号化方式をＰｒｏｂｅ  Ｒｅｑｕｅｓｔプローブ要求のＳＳＩＤフィールドに書き込んで、Ｐｒｏｂｅ  Ｒｅｑｕｅｓｔプローブ要求を生成することにより、スマートテレビが構成データに基づいて無線ネットワークをセットアップする。
【００９３】
このようにして、携帯電話の指示でスマートテレビ自体が無線アクセスポイントにセットアップされることが実現されたが、予めスマートテレビとの接続が確立される必要がなく、リモコンにて煩わしい操作をする必要もない。
【００９４】
例示として、図６に示すようであり、図６において、６０１が携帯電話であり、６０２がテレビボックスであり、６０３がテレビであり、６０２と６０３とが共同にスマートテレビとして組合わせられ、携帯電話６０１がＳＳＩＤ、接続パスワード、チャンネル番号、暗号化方式をテレビボックス６０２に送信した後、テレビボックス６０２が該構成データに基づいて自体を無線アクセスポイントとしてセットアップする。スマートテレビ自体が無線アクセスポイントになった後、携帯電話がそれと接続して、データを伝送することができる。
【００９５】
また、ある状況において、構成データのバイト数がＷＩＦＩフレームにおける予め設定された長さを超える場合もあり、例えば、あるＷｉＦｉアクセスポイントのパスワードが非常に長いことに対して、Ｐｒｏｂｅ  ＲｅｑｕｅｓｔフレームにおけるＳＳＩＤフィールドが一番多くて３２バイトとなる。
【００９６】
従って、図７に示すように、本実施形態は本開示の他の一部の実施例において、構成データのバイト数がＷＩＦＩフレームにおける予め設定された長さを超えた時に、ＷＩＦＩフレームを生成することは、ステップＳ７０１と、ステップＳ７０２とを含む。
【００９７】
ステップＳ７０１において、移動端末が予め設定された規則に基づいて構成データを少なくとも２部分のデータに分ける。
【００９８】
ステップＳ７０２において、移動端末が複数のＷＩＦＩフレームを生成し、各ＷＩＦＩフレームにその一部の構成データを含む。
【００９９】
本実施形態は本開示の他の一部の実施例において、ＷＩＦＩフレームをブロードキャストすることにより、スマートテレビがＷＩＦＩフレームを受信した後、ＷＩＦＩフレームを解析して取得された構成データに基づいてスマートテレビを構成することは、
【０１００】
生成された複数のＷＩＦＩフレームブロードキャストすることにより、スマートテレビが複数のＷＩＦＩフレームを受信した後、受信されたＷＩＦＩフレームを解析するとともに、予め設定された規則に基づいて解析された各ＷＩＦＩフレームにおける一部の構成データを組合せて構成データを取得し、且つ、構成データに基づいてスマートテレビを構成する。
【０１０１】
例えば、予め設定された規則に基づいて構成データをＮ部分に均一に分けて、Ｎ個のＷＩＦＩフレームに付加するとともに、各ＷＩＦＩフレームにおいて各部分のデータの関連関係を指示するために用いられる一部の指示マークをさらに設定する。このようにして、スマートテレビが１つのＷＩＦＩフレームを受信した後、同じ規則に基づいて該フレームにおけるデータが構成データのどの部分に属するか、構成データが付加されている全てのＷＩＦＩフレームが全部受信されたかを判断できる。
【０１０２】
図８が１つの例示するための実施例により示された構成方法のフローチャートである。該方法がスマートテレビに用いられる。図８に示すように、該方法は、ステップＳ８０１と、ステップＳ８０２と、ステップＳ８０３とを含む。
【０１０３】
ステップＳ８０１において、スマートテレビが移動端末により送信された、スマートテレビを構成するための構成データを含むＷＩＦＩフレームをモニタリングする。
【０１０４】
ステップＳ８０２において、スマートテレビがＷＩＦＩフレームがモニタリングされた後、ＷＩＦＩフレームを解析して、構成データを取得する。
【０１０５】
ステップＳ８０３において、スマートテレビが構成データに基づいて構成を行う。
【０１０６】
本実施形態は本開示の他の一部の実施例において、ＷＩＦＩフレームが８０２．１１規格のＰｒｏｂｅ  Ｒｅｑｕｅｓｔプローブ要求であり、構成データがＰｒｏｂｅ  ＲｅｑｕｅｓｔのＳＳＩＤフィールドに付加されている。
【０１０７】
本実施形態は本開示の他の一部の実施例において、ＷＩＦＩフレームがモニタリングされた後、ＷＩＦＩフレームを解析して、構成データを取得することは、
Ｐｒｏｂｅ  Ｒｅｑｕｅｓｔプローブ要求をモニタリングした後、Ｐｒｏｂｅ  ＲｅｑｕｅｓｔのＳＳＩＤフィールドを解析して構成データを取得することを含む。
【０１０８】
本実施形態は本開示の他の一部の実施例において、構成データにＳＳＩＤ及び接続パスワードを含み、
構成データに基づいて構成を行うことは、ＳＳＩＤ及び接続パスワードにより相応的なネットワークに接続することを含み、
或いは、
構成データがＳＳＩＤ、接続パスワード、チャンネル番号及び暗号化方式を含み、
構成データに基づいて構成を行うことは、ＳＳＩＤ、接続パスワード、チャンネル番号及び暗号化方式によって無線ネットワークをセットアップすることを含む。
【０１０９】
また、本実施形態は本開示の他の一部の実施例において、構成データのバイト数がＷＩＦＩフレームにおける予め設定された長さを超えた時に、移動端末が予め設定された規則に基づいて構成データを少なくとも２部分のデータに分けて、各部分のデータがそれぞれ１つのＷＩＦＩフレームに付加される。相応的には図９に示すように、スマートテレビ側において、
Ｐｒｏｂｅ  Ｒｅｑｕｅｓｔプローブ要求をモニタリングした後、Ｐｒｏｂｅ  ＲｅｑｕｅｓｔのＳＳＩＤフィールドを解析して構成データを取得することは、ステップＳ９０１と、ステップＳ９０２とを含む。
【０１１０】
ステップＳ９０１において、スマートテレビがＰｒｏｂｅ  Ｒｅｑｕｅｓｔプローブ要求をモニタリングした後、モニタリングされたＰｒｏｂｅ  Ｒｅｑｕｅｓｔプローブ要求が複数であるか否かを判断する。
【０１１１】
ステップＳ９０２において、モニタリングされたＰｒｏｂｅ  Ｒｅｑｕｅｓｔプローブ要求が複数である時に、スマートテレビが受信されたＰｒｏｂｅ  ＲｅｑｕｅｓｔのＳＳＩＤフィールドをそれぞれ解析するとともに、予め設定された規則に基づいてＳＳＩＤフィールドを解析して取得された各部分のデータを組合せて構成データを取得する。
【０１１２】
以下、２つの具体的なシーンを結合しながら、本開示をさらに詳細に説明する。
【０１１３】
図１０が１つの例示するための実施例により示された構成方法のシグナルマップである。本実施例のシーンにおいて、移動端末が具体的に携帯電話であり、ユーザーが携帯電話を利用してスマートテレビを構成して接続しようとするネットワークが具体的にＷＩＦＩネットワーク（ＷＩＦＩアクセスポイント）である。また、構成データのバイト数が相対的に多いため、携帯電話が構成データを３フレームＰｒｏｂｅ  Ｒｅｑｕｅｓｔに分けて送信する。
【０１１４】
ステップＳ１００１において、携帯電話がユーザーに提供された接続パスワードによりＷＩＦＩアクセスポイントへ接続要求を送信する。
【０１１５】
ステップＳ１００２において、ＷＩＦＩアクセスポイントから携帯電話へフィードバックを送信して、接続が成功になる。
【０１１６】
接続が成功になることは、該ＷＩＦＩアクセスポイントの接続パスワードが正しいであると意味して、携帯電話がそれをスペアとして保存することができる。勿論、実際において携帯電話とＷＩＦＩアクセスポイントとの接続を確立する過程がステップＳ１００１〜Ｓ１００２に比べてより複雑であり、例えば、複数のやりとりがないと接続が成功できないが、ステップＳ１００１〜Ｓ１００２が分かりやすくするための便利化の説明である。
【０１１７】
ステップＳ１００３において、携帯電話が外部へ第１フレームＰｒｏｂｅ  Ｒｅｑｕｅｓｔを送信する。
【０１１８】
ステップＳ１００４において、スマートテレビが受信した後Ｐｒｏｂｅ  Ｒｅｓｐｏｎｓｅをフィードバックする。
【０１１９】
ステップＳ１００５において、携帯電話が外部へ第２フレームＰｒｏｂｅ  Ｒｅｑｕｅｓｔを送信する。
【０１２０】
ステップＳ１００６において、スマートテレビが受信した後Ｐｒｏｂｅ  Ｒｅｓｐｏｎｓｅをフィードバックする。
【０１２１】
ステップＳ１００７において、携帯電話が外部へ第３フレームＰｒｏｂｅ  Ｒｅｑｕｅｓｔを送信する。
【０１２２】
ステップＳ１００８において、スマートテレビが受信した後Ｐｒｏｂｅ  Ｒｅｓｐｏｎｓｅをフィードバックする。
【０１２３】
以下、Ｐｒｏｂｅ  Ｒｅｑｕｅｓｔフレームの具体的な内容について例を挙げて説明する。
【０１２４】
例えば、接続しようとするアクセスポイントＳＳＩＤが「ｍｉｔｖ＿２４ＧＡＰＡＢＣＤＥＦＧＨＩＪＫＬＭ」（２３バイト）であり、接続パスワード（ｐａｓｓｗｏｒｄ）が「１２３４５６７８９０ａｂｃｄｅｆｇｈｉｇｋｌｍｎｏｐｑｒｓ」（２９バイト）であり、アクセスポイントＳＳＩＤとｐａｓｓｗｏｒｄとを組合せて「ｍｉｔｖ＿２４ＧＡＰＡＢＣＤＥＦＧＨＩＪＫＬＭ１２３４５６７８９０ａｂｃｄｅｆｇｈｉｇｋｌｍｎｏｐｑｒｓ」（５２バイト）となり、バイト数が多すぎるので、３部分、即ち、「ｍｉｔｖ＿２４ＧＡＰＡＢＣＤＥＦＧＨＩＪＫＬＭ１」（２４バイト）と、「２３４５６７８９０ａｂｃｄｅｆｇｈｉｇｋｌｍｎｏｐｑ」（２６バイト）と、「ｒｓ」（２バイト）とに分けられた。また、構成データにアクセスポイントＳＳＩＤのキャラクター長さを指示するためのデータ（Ｓｓｉｄ  ｌｅｎ）、ｐａｓｓｗｏｒｄのキャラクター長さを指示するためのデータ（Ｐａｓｓｗｏｒｄ  ｌｅｎ）及びパスワードタイプ、暗号化タイプを指示するためのデータがさらに含まれ、これらのデータが合計２バイトになる。従って、構成データの総バイト数（Ｔｏｔａｌ  ｌｅｎ）が５４バイトである（備考：１バイト＝８ビット、即ち、１ｂｙｔｅ＝８ｂｉｔ）。
【０１２５】
携帯電話に送信された第１フレームＰｒｏｂｅ  ＲｅｑｕｅｓｔのＳＳＩＤフィールドが下記のように構成される。
【表１】
2017508419.tif 000003
【０１２６】
携帯電話に送信された第２フレームＰｒｏｂｅ  ＲｅｑｕｅｓｔのＳＳＩＤフィールドが下記のように構成される。
【表２】
2017508419.tif 000004
【０１２７】
携帯電話に送信された第３フレームＰｒｏｂｅ  ＲｅｑｕｅｓｔのＳＳＩＤフィールドが下記のように構成される。
【表３】
2017508419.tif 000005
【０１２８】
スマートテレビが第１フレームを受信した後、Ｔｏｔａｌ  ｌｅｎ＝５４バイトに対して、Ｓｕｂ  Ｐａｙｌｏａｄが２４バイトだけになるので、構成データが分けられたことを分かって、さらにＩｎｄｅｘ＝１によって現在のフレームが第１フレームであることを分かる。また、ｖｅｒｓｉｏｎ＝１によって該構成データがスマートテレビを他のＡＰに接続するように指示するためのものである。
【０１２９】
スマートテレビが第２フレームを受信した後、Ｉｎｄｅｘ＝２によって現在のフレームが第２フレームであることを分かる。
【０１３０】
スマートテレビが第３フレームを受信した後、Ｉｎｄｅｘ＝３によって現在のフレームが第３フレームであることを分かる。
【０１３１】
３フレームを受信した後、Ｓｕｂ  Ｐａｙｌｏａｄ及び２つのＰａｙｌｏａｄを累算して５２バイトの文字列を取得し、ちょうどＴｏｔａｌ  ｌｅｎ−２に等しいので、アクセスポイントＳＳＩＤ及びｐａｓｓｗｏｒｄのデータの受信が完全である。そして、Ｓｓｉｄ  ｌｅｎ＝２３、Ｐａｓｓｗｏｒｄ  ｌｅｎ＝２９によって５２バイトの文字列からアクセスポイントＳＳＩＤ及びｐａｓｓｗｏｒｄを抽出することができる。
【０１３２】
ステップＳ１００９において、スマートテレビが受信されたＳＳＩＤ及び接続パスワードにより該ＷＩＦＩアクセスポイントに接続要求を送信する。
【０１３３】
ステップＳ１０１０において、ＷＩＦＩアクセスポイントからスマートテレビへフィードバックを送信して、接続が成功になる。
【０１３４】
ステップＳ１０１１において、スマートテレビが該ＷＩＦＩアクセスポイントによってインターネット接続する。例えば、映画などをダウンロードする。
【０１３５】
図１１が１つの例示するための実施例により示された構成方法のシグナルマップである。本実施例のシーンにおいて、移動端末が具体的に携帯電話であり、ユーザーが携帯電話によってスマートテレビにセットアップされた無線ネットワークをＷＩＦＩネットワークにしたく、或いはユーザーが携帯電話によってスマートテレビ自体をＷＩＦＩアクセスポイントとしてセットアップしたい。
【０１３６】
ステップＳ１１０１において、携帯電話がＰｒｏｂｅ  Ｒｅｑｕｅｓｔフレームを送信して、スマートテレビがモニタリングする。
【０１３７】
ステップＳ１１０２において、スマートテレビがＰｒｏｂｅ  Ｒｅｓｐｏｎｓｅをフィードバックする。
【０１３８】
以下、Ｐｒｏｂｅ  Ｒｅｑｕｅｓｔフレームの具体的な内容に対して例を挙げて説明する。
【０１３９】
例えば、スマートテレビがセットアップすべきアクセスポイントＳＳＩＤが「ＭＩＫＬＴＶＯＳ」（８バイト）であり、接続パスワードが「１２３４５６７８」（８バイト）であり、暗号化方式がＷＰＡであり、ｃｈａｎｎｅｌ番号が６である。アクセスポイントＳＳＩＤとｐａｓｓｗｏｒｄとを組合せて「ＭＩＫＬＴＶＯＳ１２３４５６７８」（１６バイト）となり、バイト数が相対的に少なく、分ける必要がない。また、暗号化方式、ｃｈａｎｎｅｌなどが合わせて３バイトになる。従って、構成データの総バイト数（Ｔｏｔａｌ  ｌｅｎ）が１９バイトになる。
【０１４０】
該Ｐｒｏｂｅ  ＲｅｑｕｅｓｔフレームのＳＳＩＤフィールドが下記のように構成される。
【表４】
2017508419.tif 000006
【０１４１】
スマートテレビが該フレームを受信した後、ｖｅｒｓｉｏｎ＝２によって該構成データがスマートテレビ自体をＡＰにセットアップするように指示するものであると分かる。Ｓｓｉｄ  ｌｅｎ＝８、Ｐａｓｓｗｏｒｄ  ｌｅｎ＝８によって文字列「ＭＩＫＬＴＶＯＳ１２３４５６７８」をアクセスポイントＳＳＩＤ及びｐａｓｓｗｏｒｄに分けることが可能であり、さらにｃｈａｎｎｅｌなどの情報を取得することによって、スマートテレビ自体をＡＰにセットアップする。
【０１４２】
ステップＳ１１０３において、携帯電話がこの前に設定された接続パスワードによりスマートテレビに接続要求を送信する。
【０１４３】
ステップＳ１１０４において、スマートテレビが携帯電話にフィードバックを送信して、接続が成功になる。
【０１４４】
ステップＳ１１０５において、携帯電話とスマートテレビとの間のデータ通信が始まる。
【０１４５】
図１２が１つの例示するための実施例により示された構成装置のブロック図である。該装置が移動端末に用いられる。図１２に示すように、該装置は、
スマートテレビを構成するための構成データを含むＷＩＦＩフレームを生成するための生成モジュール１２０１と、
ＷＩＦＩフレームをブロードキャストすることにより、スマートテレビがＷＩＦＩフレームを受信した後、ＷＩＦＩフレームを解析して取得された構成データに基づいてスマートテレビを構成するためのブロードキャストモジュール１２０２とを含む。
【０１４６】
本実施形態は本開示の他の一部の実施例において、生成モジュールは、
スマートテレビとの通信接続をセットアップする前に、構成データがＰｒｏｂｅ  ＲｅｑｕｅｓｔのＳＳＩＤフィールドに付加されたＰｒｏｂｅ  Ｒｅｑｕｅｓｔプローブ要求を生成するように用いられる。
【０１４７】
本実施形態は本開示の他の一部の実施例において、構成データは、ＳＳＩＤ及び接続パスワードを含む。
【０１４８】
相応的に図１３に示すように、生成モジュールは、
移動端末に既に保存されているネットワークのＳＳＩＤ及び接続パスワードを取得するとともに、その中から構成しようとするネットワークのＳＳＩＤ及び接続パスワードを選択するための構成データ第１取得サブモジュール１３０１と、
選択されたネットワークのＳＳＩＤ及び接続パスワードをＰｒｏｂｅ  Ｒｅｑｕｅｓｔプローブ要求のＳＳＩＤフィールドに書き込んで、Ｐｒｏｂｅ  Ｒｅｑｕｅｓｔプローブ要求生成することにより、スマートテレビを構成データに基づいて選択されたネットワークに接続するための構成データ第１付加サブモジュール１３０２と、を含む。
【０１４９】
本実施形態は本開示の他の一部の実施例において、構成データは、ＳＳＩＤ、接続パスワード、チャンネル番号、暗号化方式を含む。
【０１５０】
相応的に図１４に示すように、生成モジュールは、
ユーザーのＳＳＩＤ、接続パスワード、チャンネル番号及び暗号化方式を受信するための構成データ第２取得サブモジュール１４０１と、
ユーザーにより入力されたＳＳＩＤ、接続パスワード、チャンネル番号及び暗号化方式をＰｒｏｂｅ  Ｒｅｑｕｅｓｔプローブ要求のＳＳＩＤフィールドに書き込んで、Ｐｒｏｂｅ  Ｒｅｑｕｅｓｔプローブ要求を生成することにより、スマートテレビが構成データに基づいて無線ネットワークをセットアップするための構成データ第２付加サブモジュール１４０２とを含む。
【０１５１】
図１５に示すように、本実施形態は本開示の他の一部の実施例において、構成データのバイト数がＷＩＦＩフレームにおける予め設定された長さを超えた時に、生成モジュールは、
予め設定された規則に基づいて構成データを少なくとも２部分のデータに分けるためのデータ分割サブモジュール１５０１と、
そのうちの１部分の構成データをそれぞれ含む複数のＷＩＦＩフレームを生成するための複数フレーム生成サブモジュール１５０２とを含む。
【０１５２】
本実施形態は本開示の他の一部の実施例において、ＷＩＦＩフレームブロードキャストモジュールは、具体的には、
生成された複数のＷＩＦＩフレームを順にブロードキャストすることにより、スマートテレビが複数のＷＩＦＩフレームを受信した後、受信されたＷＩＦＩフレームを解析するとともに、予め設定された規則に基づいて解析された各ＷＩＦＩフレームにおける一部の構成データを組合せて構成データを取得し、且つ、構成データに基づいてスマートテレビを構成するように用いられる。
【０１５３】
上記した実施例における装置に関し、その中の各モジュールが操作を実行する具体的な方式が既に該方法に関する実施例において詳細に説明したが、ここで詳細に説明しない。
【０１５４】
図１６が１つの例示するための実施例により示された構成装置のブロック図である。該装置がスマートテレビに用いられることが可能である。図１６に示すように、該装置は、
移動端末により送信された、スマートテレビを構成するための構成データを含むＷＩＦＩフレームをモニタリングするためのモニタリングモジュール１６０１と、
ＷＩＦＩフレームがモニタリングされた後、ＷＩＦＩフレームを解析して、構成データを取得するための解析モジュール１６０２と、
構成データに基づいて構成を行うための構成モジュール１６０３とを含む。
【０１５５】
本実施形態は本開示の他の一部の実施例において、ＷＩＦＩフレームがＰｒｏｂｅ  Ｒｅｑｕｅｓｔプローブ要求である。
【０１５６】
解析モジュールは、
Ｐｒｏｂｅ  Ｒｅｑｕｅｓｔプローブ要求をモニタリングした後、Ｐｒｏｂｅ  ＲｅｑｕｅｓｔのＳＳＩＤフィールドを解析して、構成データを取得するように用いられる。
【０１５７】
本実施形態は本開示の他の一部の実施例において、
構成データにＳＳＩＤ及び接続パスワードを含み、
構成モジュールが、ＳＳＩＤ及び接続パスワードにより相応的なネットワークに接続するように用いられ、
或いは、
構成データがＳＳＩＤ、接続パスワード、チャンネル番号及び暗号化方式を含み、
構成モジュールが、ＳＳＩＤ、接続パスワード、チャンネル番号及び暗号化方式によって無線ネットワークをセットアップするように用いられる。
【０１５８】
図１７に示すように、本実施形態は本開示の他の一部の実施例において、解析モジュールは、
Ｐｒｏｂｅ  Ｒｅｑｕｅｓｔプローブ要求をモニタリングした後、モニタリングされたＰｒｏｂｅ  Ｒｅｑｕｅｓｔプローブ要求が複数であるか否かを判断し、モニタリングされたＰｒｏｂｅ  Ｒｅｑｕｅｓｔプローブ要求が複数である時に、データ組合せサブモジュールをトリガーするための複数フレーム判断サブモジュール１７０１と、
受信されたＰｒｏｂｅ  ＲｅｑｕｅｓｔのＳＳＩＤフィールドをそれぞれ解析するとともに、予め設定された規則に基づいてＳＳＩＤフィールドを解析して取得された各部分のデータを組合せて、構成データを取得するためのデータ組合せサブモジュール１７０２とを含む。
【０１５９】
上記した実施例における装置に関し、その中の各モジュールが操作を実行する具体的な方式が既に該方法に関する実施例において詳細に説明したが、ここで詳細に説明しない。
【０１６０】
本開示には下記の構成装置がさらに公開され、該構成装置は、
プロセッサーと、
プロセッサーが実行可能なコマンドを記憶するためのメモリーとを含み、
その中に、プロセッサーは、
スマートテレビを構成するための構成データを含むＷＩＦＩフレームを生成し、
ＷＩＦＩフレームをブロードキャストすることにより、スマートテレビがＷＩＦＩフレームを受信した後、ＷＩＦＩフレームを解析して取得された構成データに基づいてスマートテレビを構成するように設けられている。
【０１６１】
本開示には非一時的コンピュータ可読記憶媒体がさらに公開され、記憶媒体におけるコマンドが移動端末のプロセッサーにより実行される時に、移動端末が下記の構成方法を実行でき、該方法は、
スマートテレビを構成するための構成データを含むＷＩＦＩフレームを生成することと、
ＷＩＦＩフレームをブロードキャストすることにより、スマートテレビがＷＩＦＩフレームを受信した後、ＷＩＦＩフレームを解析して取得された構成データに基づいてスマートテレビを構成することとを含む。
【０１６２】
本開示には下記の構成装置がさらに公開され、該装置は、
プロセッサーと、
プロセッサーが実行可能なコマンドを記憶するためのメモリーとを含み、
その中に、プロセッサーは、
移動端末により送信された、前記装置を構成するための構成データを含むＷＩＦＩフレームをモニタリングし、
ＷＩＦＩフレームがモニタリングされた後、ＷＩＦＩフレームを解析して、構成データを取得し、
構成データに基づいて構成を行うように設けられている。
【０１６３】
本開示には非一時的コンピュータ可読記憶媒体がさらに公開され、記憶媒体におけるコマンドがスマートテレビのプロセッサーにより実行される時に、スマートテレビが下記の構成方法を実行でき、該方法は、
移動端末により送信された、スマートテレビを構成するための構成データを含むＷＩＦＩフレームをモニタリングすることと、
ＷＩＦＩフレームがモニタリングされた後、ＷＩＦＩフレームを解析して、構成データを取得することと、
構成データに基づいて構成を行うこととを含む。
【０１６４】
図１８は、１つの例示するための実施例により示された装置を構成するためのブロック図である。例えば、装置２８００が携帯電話、コンピュータ、デジタルブロードキャスト端末、情報送受信機、ゲームコンソール、タブレット、医療機器、フィットネスマシン、携帯情報端末などであっても良い。
【０１６５】
図１８に示すように、装置２８００は、処理アセンブリー２８０２、メモリー２８０４、電力アセンブリー２８０６、マルチメディア・アセンブリー２８０８、オーディオ・アセンブリー２８１０、入力／出力（Ｉ／Ｏ）のインタフェース２８１２、センサー・アセンブリー２８１４及び通信アセンブリー２８１６のうちの１つ又は複数を含むことが可能である。
【０１６６】
処理アセンブリー２８０２は、通常、装置２８００の全体の操作、例えば、表示、電話の呼び出し、データ通信、カメラ操作及び記録操作と関連する操作をコントロールするものである。処理アセンブリー２８０２が１つ又は複数のプロセッサー２８２０を含むことが可能であり、上記の方法の全部又は一部のステップを行うようにコマンドを実行する。この以外に、処理アセンブリー２８０２が処理アセンブリー２８０２と他のアセンブリーとの間のやりとりを便利にするように１つ又は複数のモジュールを含むことが可能である。例えば、処理アセンブリー２８０２がマルチメディア・アセンブリー２８０８と処理アセンブリー２８０２との間のやりとりを便利にするようにマルチメディアモジュールを含むことが可能である。
【０１６７】
メモリー２８０４が装置２８００の操作をサポートするように各種タイプのデータを記憶するように構成されている。これらのデータの例としては、装置２８００において操作されるいずれのアプリケーションプログラム或いは方法のコマンド、連絡先データ、電話帳データ、メッセージ、ピクチャー、ビデオなどを含む。メモリー２８０４は、例えば、スタティックランダムアクセスメモリ（ＳＲＡＭ）、電気的に消去可能なＰＲＯＭ（ＥＥＰＲＯＭ）、消去可能なプログラマブルリードオンリーメモリー（ＥＰＲＯＭ）、プログラマブルリードオンリーメモリー（ＰＲＯＭ）、リードオンリーメモリー（ＲＯＭ）、磁気メモリー、フラッシュメモリー、磁気ディスク或いは光ディスクなど、いずれかのタイプの揮発性又は不揮発性メモリーデバイス或いはこれらの組合せにより実現できる。
【０１６８】
電力アセンブリー２８０６は、装置２８００の各種のアセンブリーに電力を提供するものである。電力アセンブリー２８０６が電源管理システム、１つ又は複数の電源、及び装置２８００のための電力の生成、管理及び分配に関連する他のアセンブリーを含むことが可能である。
【０１６９】
マルチメディア・アセンブリー２８０８は、装置２８００とユーザーとの間で出力インタフェースを提供するスクリーンを含む。一部の実施例において、スクリーンが液晶表示器（ＬＣＤ）とタッチパネル（ＴＰ）とを含むことが可能である。スクリーンがタッチパネルを含む場合、スクリーンがユーザーからの入力信号を受取るようにタッチスクリーンとして実現されてもよい。タッチパネルは、タッチ、滑動及びタッチパネル上の手まねを感知するように１つ又は複数のタッチセンサーを含む。タッチセンサーとしては、タッチ又は滑動という動作の境界を感知できるだけではなく、タッチ又は滑動操作に関連する継続時間及び圧力を検出することもできる。一部の実施例において、マルチメディア・アセンブリー２８０８は、前置きカメラ及び／或は後置ききカメラを含む。装置２８００が操作モード、例えば、撮像モード或はビデオモードになる時に、前置きカメラ及び／或は後置きカメラが外部のマルチメディア・データを受取ることが可能である。それぞれの前置きカメラ及び後置きカメラが一定の光学レンズシステムであってもよいし、或は焦点距離及び光学的焦点距離可変機能を備えるものであってもよい。
【０１７０】
オーディオ・アセンブリー２８１０がオーディオ信号を出力及び／或は入力するように構成されている。例えば、オーディオ・アセンブリー２８１０がマイク（ＭＩＣ）を含み、装置２８００が操作モード、例えば、呼び出すモード、記録モード或は音声識別モードになる時に、マイクが外部のオーディオ信号を受取るように構成されている。受取られたオーディオ信号がさらにメモリー２８０４に記憶され、或は通信アセンブリー２８１６を経由して送信する。一部の実施例において、オーディオ・アセンブリー２８１０がオーディオ信号を出力するためのスピーカーをさらに含む。
【０１７１】
Ｉ／Ｏインタフェース２８１２は、処理アセンブリー２８０２と周辺のインタフェース・モジュールとの間でインタフェースを提供するためのものであり、上記の周辺のインタフェース・モジュールがキーボード、クリックホイール、ボタンなどにしてもよい。これらのボタンがホームページボタンと、音量ボタンと、起動ボタンと、ロックボタンとを含むが、これに限らない。
【０１７２】
センサー・アセンブリー２８１４は、１つ又は複数のセンサーを含み、装置２８００に様々な面の状態を評価するためのものである。例えば、センサー・アセンブリー２８１４が装置２８００のＯＮ／ＯＦＦ状態、例えばアセンブリーが装置２８００の表示器及び小さいキーボードである場合のアセンブリーの相対的な位置決めを検出することができ、センサー・アセンブリー２８１４が装置２８００或は装置２８００における１つのアセンブリーの位置変化と、ユーザーが装置２８００と接触することがあるか否かのことと、装置２８００の方向と位置或は加速／減速及び装置２８００の温度変化とを検出することもできる。センサー・アセンブリー２８１４が何れの物理接触のない時に付近の物品の存在を検出するために構成される近接センサーを含むことが可能である。センサー・アセンブリー２８１４が結像応用に用いられる、例えば、ＣＭＯＳ或はＣＣＤ図像センサーのような光センサーを含むことも可能である。一部の実施例において、該センサー・アセンブリー２８１４が加速度センサー、ジャイロセンサー、磁気センサー、圧力センサー或は温度センサーを含むこともできる。
【０１７３】
通信アセンブリー２８１６は、装置２８００と他の機器との間の有線或は無線方式での通信を便利にするために構成されている。装置２８００が通信標準に準ずる無線ネットワーク、例えば、ＷｉＦｉ、２Ｇ又は３Ｇ、或はこれらの組合せに接続することが可能である。１つの例示するための実施例において、通信アセンブリー２８１６がラジオチャンネルによって外部のラジオ管理システムからのラジオ信号又はラジオ関連の情報を受取るようになる。１つの例示するための実施例において、通信アセンブリー２８１６が短距離通信を促進するための近距離無線通信（ＮＦＣ）モジュールを含むことも可能である。例えば、ＮＦＣモジュールは、無線周波識別（ＲＦＩＤ）技術、赤外線データ団体（ＩｒＤＡ）技術、超広帯域無線通信（ＵＷＢ）技術、ブルートゥース（ＢＴ）技術及び他の技術で実現されることが可能である。
【０１７４】
例示するための実施例において、装置２８００が１つ又は複数の特定用途向け集積回路（ＡＳＩＣ）、デジタルシグナルプロセッサー（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラー、マイクロコントローラー、マイクロプロセッサー或は他の電子素子で実現され、端末側の上記の方法を実行するために用いられる。
【０１７５】
例示するための実施例において、コマンドを含む非一時的コンピュータ可読記録媒体、例えば、コマンドを含むメモリー２８０４がさらに提供され、上記のコマンドは、上記方法を完成するように、装置２８００のプロセッサー２８２０で実行される。前記非一時的コンピュータ可読記録媒体は、例えば、ＲＯＭ、ランダムアクセスメモリー（ＲＡＭ）、ＣＤ−ＲＯＭ、磁気テープ、フロッピーディスク及び光データ記憶装置などにしてもよい。
【０１７６】
当業者が明細書を考慮するとともに、ここで開示された発明を実行した後、本発明の他の実施の形態を容易に想到できる。本願が本発明の全ての変形、用途或は適応的な変化を全て包括するべき。これらの変形、用途或は適応的な変化は、本開示において開示されていない本技術分野の公知常識又は慣用技術手段を含む本発明の一般的な原理に従うものである。明細書及び実施例は、例示のものだけであり、本発明の本当の範囲及び主旨が特許請求の範囲により現れるべき。
【０１７７】
本発明は、上記により既に説明されて、且つ図面に示された具体的な構造に限定されていなく、その範囲から逸脱しない限り、各種の修正及び変更をすることができる。本発明の範囲がその特許請求の範囲により限定される。
【図１】
2017508419.tif 000007
【図２】
2017508419.tif 000008
【図３】
2017508419.tif 000009
【図４】
2017508419.tif 000010
【図５】
2017508419.tif 000011
【図６】
2017508419.tif 000012
【図７】
2017508419.tif 000013
【図８】
2017508419.tif 000014
【図９】
2017508419.tif 000015
【図１０】
2017508419.tif 000016
【図１１】
2017508419.tif 000017
【図１２】
2017508419.tif 000018
【図１３】
2017508419.tif 000019
【図１４】
2017508419.tif 000020
【図１５】
2017508419.tif 000021
【図１６】
2017508419.tif 000022
【図１７】
2017508419.tif 000023
【図１８】
2017508419.tif 000024
【手続補正書】
【提出日】平成27年6月29日(2015.6.29)
【手続補正２】
【補正対象書類名】明細書
【補正対象項目名】０００２
【補正方法】変更
【補正の内容】
【０００２】
本開示が端末機器の間の通信という技術分野に関し、特に構成方法、装置、プログラム及び記録媒体に関する。
【手続補正３】
【補正対象書類名】明細書
【補正対象項目名】０００４
【補正方法】変更
【補正の内容】
【０００４】
係る技術において存在する問題を解決するために、本開示が端末機器を構成する時に操作が煩わしいという技術問題を解決するための構成方法、装置、プログラム及び記録媒体を提供した。
【手続補正４】
【補正対象書類名】明細書
【補正対象項目名】００２６
【補正方法】変更
【補正の内容】
【００２６】
本開示の実施例における第６方面によると、構成装置が提供され、該装置は、
プロセッサーと、
プロセッサーが実行可能なコマンドを記憶するためのメモリーとを含み、
その中に、前記プロセッサーは、
第１端末により送信された、前記装置を構成するための構成データを含むＷＩＦＩフレームをモニタリングし、
前記ＷＩＦＩフレームがモニタリングされた後、前記ＷＩＦＩフレームを解析して、前記構成データを取得し、
前記構成データに基づいて構成を行うように設けられている。
本発明のその他の方面は、
プロセッサに実行されることにより、前記方法を実現することを特徴とするプログラムを提供する。
本発明のその他の方面は、
前記プログラムが記録された記録媒体を提供する。
【手続補正５】
【補正対象書類名】特許請求の範囲
【補正対象項目名】全文
【補正方法】変更
【補正の内容】
【特許請求の範囲】
【請求項１】
第１端末に用いられる構成方法において、
第２端末を構成するための構成データを含むＷＩＦＩフレームを生成することと、
前記ＷＩＦＩフレームをブロードキャストすることにより、前記第２端末が前記ＷＩＦＩフレームを受信した後、前記ＷＩＦＩフレームを解析して取得された前記構成データに基づいて前記第２端末を構成することとを含むことを特徴とする方法。
【請求項２】
前記ＷＩＦＩフレームを生成することは、
前記第２端末との通信接続を確立する前に、管理フレーム、制御フレーム或いはデータフレームを含むＷＩＦＩフレームを生成するとともに、前記ＷＩＦＩフレームにおける予め設定されたフィールドに前記構成データを設定することを含むことを特徴とする請求項１に記載の方法。
【請求項３】
前記構成データにＳＳＩＤ及び接続パスワードを含み、
前記ＷＩＦＩフレームを生成するとともに、前記ＷＩＦＩフレームにおける予め設定されたフィールドに前記構成データを設定することは、
移動端末に既に保存されているネットワークのＳＳＩＤ及び接続パスワードを取得するとともに、その中から構成しようとするネットワークのＳＳＩＤ及び接続パスワードを選択することと、
選択されたネットワークのＳＳＩＤ及び接続パスワードをＷＩＦＩフレームにおける予め設定されたフィールドに書き込んで、ＷＩＦＩフレームを生成することにより、前記第２端末が前記ＷＩＦＩフレームを解析して前記構成データを取得した後、前記構成データに基づいて選択されたネットワークに接続することを含むことを特徴とする請求項２に記載の方法。
【請求項４】
前記構成データがＳＳＩＤ、接続パスワード、チャンネル番号及び暗号化方式を含み、
前記ＷＩＦＩフレームを生成するとともに、前記ＷＩＦＩフレームにおける予め設定されたフィールドに前記構成データを設定することは、
ユーザーのＳＳＩＤ、接続パスワード、チャンネル番号及び暗号化方式を受信することと、
ユーザーにより入力された前記ＳＳＩＤ、接続パスワード、チャンネル番号及び暗号化方式を前記ＷＩＦＩフレームにおける予め設定されたフィールドに書き込んで、ＷＩＦＩフレームを生成することにより、前記第２端末が前記ＷＩＦＩフレームを受信、解析して前記構成データを取得した後、前記構成データに基づいて無線ネットワークをセットアップすることとを含むことを特徴とする請求項２に記載の方法。
【請求項５】
前記構成データのバイト数が前記ＷＩＦＩフレームにおける予め設定された長さを超えた時に、前記ＷＩＦＩフレームを生成することは、
予め設定された規則に基づいて前記構成データを少なくとも２部分のデータに分けることと、
それぞれその一部の構成データが含まれている複数の前記ＷＩＦＩフレームを生成することとを含むことを特徴とする請求項１に記載の方法。
【請求項６】
前記ＷＩＦＩフレームをブロードキャストすることにより、前記第２端末が前記ＷＩＦＩフレームを受信した後、前記ＷＩＦＩフレームを解析して取得された前記構成データに基づいて前記第２端末を構成することは、
生成された前記複数のＷＩＦＩフレームを順にブロードキャストすることにより、前記第２端末が複数のＷＩＦＩフレームを受信した後、受信されたＷＩＦＩフレームを解析するとともに、前記予め設定された規則に基づいて解析された各ＷＩＦＩフレームにおける一部の構成データを組合せて前記構成データを取得し、且つ前記構成データに基づいて前記第２端末を構成することを含むことを特徴とする請求項５に記載の方法。
【請求項７】
第２端末に用いられる構成方法において、
第１端末により送信された、前記第２端末を構成するための構成データを含むＷＩＦＩフレームをモニタリングすることと、
前記ＷＩＦＩフレームがモニタリングされた後、前記ＷＩＦＩフレームを解析して、前記構成データを取得することと、
前記構成データに基づいて構成を行うこととを含むことを特徴とする方法。
【請求項８】
前記ＷＩＦＩフレームがモニタリングされた後、前記ＷＩＦＩフレームを解析して、前記構成データを取得することは、
ＷＩＦＩフレームがモニタリングされた後、前記ＷＩＦＩフレームにおける予め設定されたフィールドを解析して、前記構成データを取得することを含むことを特徴とする請求項７に記載の方法。
【請求項９】
前記構成データにＳＳＩＤ及び接続パスワードを含み、
前記構成データに基づいて構成を行うことは、前記ＳＳＩＤ及び接続パスワードにより相応的なネットワークに接続することを含み、
或いは、
前記構成データがＳＳＩＤ、接続パスワード、チャンネル番号及び暗号化方式を含み、前記構成データに基づいて構成を行うことは、前記ＳＳＩＤ、接続パスワード、チャンネル番号及び暗号化方式によって無線ネットワークをセットアップすることを含むことを特徴とする請求項８に記載の方法。
【請求項１０】
前記ＷＩＦＩフレームがモニタリングされた後、前記ＷＩＦＩフレームにおける予め設定されたフィールドを解析して、前記構成データを取得することは、
ＷＩＦＩフレームがモニタリングされた後、モニタリングされた前記ＷＩＦＩフレームが複数であるか否かを判断することと、
前記モニタリングされたＷＩＦＩフレームが複数である時に、受信されたＷＩＦＩフレームにおける予め設定されたフィールドをそれぞれ解析するとともに、予め設定された規則に基づいて前記予め設定されたフィールドを解析して取得された各部分のデータを組合せて、前記構成データを取得することとを含むことを特徴とする請求項８に記載の方法。
【請求項１１】
第１端末に用いられる構成装置において、
第２端末を構成するための構成データを含むＷＩＦＩフレームを生成するための生成モジュールと、
前記ＷＩＦＩフレームをブロードキャストすることにより、前記第２端末が前記ＷＩＦＩフレームを受信した後、前記ＷＩＦＩフレームを解析して取得された前記構成データに基づいて前記第２端末を構成するためのブロードキャストモジュールとを含むことを特徴とする装置。
【請求項１２】
前記生成モジュールは、
前記第２端末との通信接続を確立する前に、管理フレーム、制御フレーム或いはデータフレームを含むＷＩＦＩフレームを生成するとともに、前記ＷＩＦＩフレームにおける予め設定されたフィールドに前記構成データを設定するように用いられることを特徴とする請求項１１に記載の装置。
【請求項１３】
前記構成データにＳＳＩＤ及び接続パスワードを含み、
前記生成モジュールが、
前記第１端末に既に保存されているネットワークのＳＳＩＤ及び接続パスワードを取得するとともに、その中から構成しようとするネットワークのＳＳＩＤ及び接続パスワードを選択するための構成データ第１取得サブモジュールと、
選択されたネットワークのＳＳＩＤ及び接続パスワードをＷＩＦＩフレームにおける予め設定されたフィールドに書き込んで、ＷＩＦＩフレームを生成することにより、前記第２端末が前記ＷＩＦＩフレームを解析して前記構成データを取得した後、前記構成データに基づいて選択されたネットワークに接続するための構成データ第１付加サブモジュールとを含むことを特徴とする請求項１２に記載の装置。
【請求項１４】
前記構成データがＳＳＩＤ、接続パスワード、チャンネル番号及び暗号化方式を含み、
前記生成モジュールが、
ユーザーのＳＳＩＤ、接続パスワード、チャンネル番号及び暗号化方式を受信するための構成データ第２取得サブモジュールと、
ユーザーにより入力された前記ＳＳＩＤ、接続パスワード、チャンネル番号及び暗号化方式を前記ＷＩＦＩフレームにおける予め設定されたフィールドに書き込んで、ＷＩＦＩフレームを生成することにより、前記第２端末が前記ＷＩＦＩフレームを受信、解析して前記構成データを取得した後、前記構成データに基づいて無線ネットワークをセットアップするための構成データ第２付加サブモジュールとを含むことを特徴とする請求項１２に記載の装置。
【請求項１５】
前記構成データのバイト数が前記ＷＩＦＩフレームにおける予め設定された長さを超えた時に、前記生成モジュールが、
予め設定された規則に基づいて前記構成データを少なくとも２部分のデータに分けるためのデータ分割サブモジュールと、
それぞれその一部の構成データが含まれている複数の前記ＷＩＦＩフレームを生成するための複数フレーム生成サブモジュールとを含むことを特徴とする請求項１１に記載の装置。
【請求項１６】
前記ブロードキャストモジュールは、
生成された前記複数のＷＩＦＩフレームを順にブロードキャストすることにより、前記第２端末が複数のＷＩＦＩフレームを受信した後、受信されたＷＩＦＩフレームを解析するとともに、前記予め設定された規則に基づいて解析された各ＷＩＦＩフレームにおける一部の構成データを組合せて前記構成データを取得し、且つ前記構成データに基づいて前記第２端末を構成するように用いられることを特徴とする請求項１５に記載の装置。
【請求項１７】
第２端末に用いられる構成装置において、
第１端末により送信された、前記第２端末を構成するための構成データを含むＷＩＦＩフレームをモニタリングするためのモニタリングモジュールと、
前記ＷＩＦＩフレームがモニタリングされた後、前記ＷＩＦＩフレームを解析して、前記構成データを取得するための解析モジュールと、
前記構成データに基づいて構成を行うための構成モジュールとを含むことを特徴とする装置。
【請求項１８】
前記解析モジュールは、
ＷＩＦＩフレームがモニタリングされた後、前記ＷＩＦＩフレームにおける予め設定されたフィールドを解析して、前記構成データを取得するように用いられることを特徴とする請求項１７に記載の装置。
【請求項１９】
前記構成データにＳＳＩＤ及び接続パスワードを含み、
前記構成モジュールが前記ＳＳＩＤ及び接続パスワードにより相応的なネットワークに接続するために用いられ、
或いは、
前記構成データがＳＳＩＤ、接続パスワード、チャンネル番号及び暗号化方式を含み、
前記構成モジュールが前記ＳＳＩＤ、接続パスワード、チャンネル番号及び暗号化方式によって無線ネットワークをセットアップするために用いられることを特徴とする請求項１８に記載の装置。
【請求項２０】
前記解析モジュールは、
ＷＩＦＩフレームがモニタリングされた後、モニタリングされた前記ＷＩＦＩフレームが複数であるか否かを判断し、前記モニタリングされたＷＩＦＩフレームが複数である時に、データ組合せサブモジュールをトリガーするための複数フレーム判断サブモジュールと、
受信されたＷＩＦＩフレームにおける予め設定されたフィールドをそれぞれ解析するとともに、予め設定された規則に基づいて前記予め設定されたフィールドを解析して取得された各部分のデータを組合せて、前記構成データを取得するためのデータ組合せサブモジュールとを含むことを特徴とする請求項１８に記載の装置。
【請求項２１】
プロセッサーと、
プロセッサーが実行可能なコマンドを記憶するためのメモリーとを含み、
その中に、前記プロセッサーは、
第２端末を構成するための構成データを含むＷＩＦＩフレームを生成し、
前記ＷＩＦＩフレームをブロードキャストすることにより、前記第２端末が前記ＷＩＦＩフレームを受信した後、前記ＷＩＦＩフレームを解析して取得された前記構成データに基づいて前記第２端末を構成するように設けられていることを特徴とする構成装置。
【請求項２２】
構成装置であって、
プロセッサーと、
プロセッサーが実行可能なコマンドを記憶するためのメモリーとを含み、
その中に、前記プロセッサーは、
第１端末により送信された、前記装置を構成するための構成データを含むＷＩＦＩフレームをモニタリングし、
前記ＷＩＦＩフレームがモニタリングされた後、前記ＷＩＦＩフレームを解析して、前記構成データを取得し、
前記構成データに基づいて構成を行うように設けられていることを特徴とする構成装置。
【請求項２３】
プロセッサに実行されることにより、請求項１から請求項１０のいずれかに記載の方法を実現することを特徴とするプログラム。
【請求項２４】
請求項２３に記載のプログラムが記録された記録媒体。
【国際調査報告】
2017508419.tif 000025
2017508419.tif 000026
2017508419.tif 000027
2017508419.tif 000028